【事件の表示】
　特許第３４４４４５９号「光走査装置」の請求項１、２に係る特許に対する特許異議の申立てについて、次のとおり決定する。
【結　論】
　訂正を認める。
　特許第３４４４４５９号の請求項１ないし２に係る特許を維持する。
【理　由】
１．手続の経緯
　特許第３４４４４５９号の請求項１及び２に係る発明についての出願は、平成７年１０月３１日に特許出願され、平成１５年６月２７日にその発明について特許の設定登録がなされ、その後、その特許について異議申立人境恒徳により特許異議の申立てがなされ、取消理由が通知され、その指定期間内である平成１６年７月２０日に訂正請求がなされたものである。
　　　
２．訂正の適否についての判断
ア．訂正の内容
ａ．特許請求の範囲の請求項１の
　「【請求項１】　単一の光偏向器を挟んで両側に各々被走査面を配し、該被走査面と対峙する前記光偏向器の偏向面に変調ビームを入射させながら、光走査を行う光走査装置において、
　前記入射ビームの仮想延長線に交わる交点が、前記光偏向器の被走査面と平行な中心線上で交わる事なく、その一側に位置するように構成するとともに、前記各々の入射ビームは、それぞれの入射面に対して異なった入射角で入来するように構成したことを特徴とする光走査装置。」
を、
　「【請求項１】　単一の光偏向器を挟んで両側に各々被走査面を配し、該被走査面と対峙する前記光偏向器の偏向面に変調ビームを入射させながら、各々レンズ系を介して光走査を行う光走査装置において、
　前記偏向面に入射させる変調ビームの仮想延長線が交わる交点が、前記光偏向器の各々のレンズ系の光軸を通り、用紙幅方向中心線に一致する中心線と直交し且つ前記両被走査面と平行な光偏光器の中心線上で交わる事なく、その一側に位置するように構成するとともに、前記各々の入射ビームは、それぞれの入射面に対して異なった入射角で入射するように構成したことを特徴とする光走査装置。」
と訂正する。
 ｂ．特許請求の範囲の請求項２の
　「【請求項２】　単一の光偏向器を挟んで両側に各々被走査面を配し、該被走査面と対峙する前記光偏向器の異なる偏向面にそれぞれ第１の変調ビーム及び第２の変調ビームを入射させながら、光走査を行う請求項１記載の光走査装置において、
　前記入射ビームの仮想延長線に交わる交点が、前記光偏向器の被走査面と平行な中心線上で交わる事なく、その一側に位置するように構成するとともに、前記光偏向器をポリゴンミラーで構成し、前記ポリゴンミラーの回転軸線と直交する面内で、該ポリゴンミラーの被走査面と平行な中心線と、該中心線に直交し且つ前記回転軸線を通過する直線により４つの座標領域に区切り、前記第１の変調ビームがポリゴンミラーの一の偏向面に入射する位置の座標領域を第１の座標領域として、前記第２の変調ビームのポリゴンミラーの他の偏向面に入射する位置の座標領域を第２の座標領域として夫々設定するとともに、前記第２の座標領域にポリゴンミラーの回転方向に沿ってその下流側で隣接する座標領域を第３の座標領域、該第３の座標領域と前記第１の座標領域の間の座標領域を第４の座標領域と夫々設定した場合に、前記交点が、前記第４の座標領域で交わるように構成したことを特徴とする光走査装置。」
を
　「【請求項２】　単一の光偏向器を挟んで両側に各々被走査面を配し、該被走査面と対峙する前記光偏向器の異なる偏向面にそれぞれ第１の変調ビーム及び第２の変調ビームを入射させながら、光走査を行う請求項１記載の光走査装置において、
　前記偏向面に入射させる変調ビームの仮想延長線が交わる交点が、前記光偏向器の被走査面と平行な中心線上で交わる事なく、その一側に位置するように構成するとともに、前記光偏向器をポリゴンミラーで構成し、前記ポリゴンミラーの回転軸線と直交する面内で、該ポリゴンミラーの被走査面と平行な中心線と、該中心線に直交し且つ前記回転軸線を通過する直線により４つの座標領域に区切り、前記第１の変調ビームがポリゴンミラーの一の偏向面に入射する位置の座標領域を第１の座標領域として、前記第２の変調ビームのポリゴンミラーの他の偏向面に入射する位置の座標領域を第２の座標領域として夫々設定するとともに、前記第２の座標領域にポリゴンミラーの回転方向に沿ってその下流側で隣接する座標領域を第３の座標領域、該第３の座標領域と前記第１の座標領域の間の座標領域を第４の座標領域と夫々設定した場合に、前記交点が、前記第４の座標領域で交わるように構成したことを特徴とする光走査装置。」
 と訂正する。
ｃ．明細書の段落【０００６】の
　「【０００６】
　【課題を解決するための手段】
　本発明の光走査装置の特徴とするところは、単一の光偏向器を挟んで両側に各々被走査面を配し、該被走査面と対峙する前記光偏向器の偏向面に変調ビームを入射させながら、光走査を行う光走査装置において、前記入射ビームの仮想延長線に交わる交点が、前記光偏向器の被走査面と平行な中心線上で交わる事なく、その一側に位置するように構成した。」
を
　「【０００６】
　【課題を解決するための手段】
　本発明の光走査装置の特徴とするところは、単一の光偏向器を挟んで両側に各々被走査面を配し、該被走査面と対峙する前記光偏向器の偏向面に変調ビームを入射させながら、各々レンズ系を介して光走査を行う光走査装置において、前記偏向面に入射させる変調ビームの仮想延長線が交わる交点が、前記光偏向器の各々のレンズ系の光軸を通り、用紙幅方向中心線に一致する中心線と直交し且つ前記両被走査面と平行な光偏光器の中心線上で交わる事なく、その一側に位置するように構成するとともに、前記各々の入射ビームは、それぞれの入射面に対して異なった入射角で入射するように構成した。」
と訂正する。
ｄ．明細書の段落【０００７】の
　「【０００７】
　また、前記各々の入射ビームは、それぞれの入射面に対して異なった入射角で入来するように構成すると好ましい。また、単一の光偏向器を挟んで両側に各々被走査面を配し、該被走査面と対峙する前記光偏向器の異なる偏向面にそれぞれ第１の変調ビーム及び第２の変調ビームを入射させながら、光走査を行う請求項１記載の光走査装置において、前記入射ビームの仮想延長線に交わる交点が、前記光偏向器の被走査面と平行な中心線上で交わる事なく、その一側に位置するように構成するとともに、前記光偏向器をポリゴンミラーで構成し、前記ポリゴンミラーの回転軸線と直交する面内で、該ポリゴンミラーの被走査面と平行な中心線と、該中心線に直交し且つ前記回転軸線を通過する直線により４つの座標領域に区切り、前記第１の変調ビームがポリゴンミラーの一の偏向面に入射する位置の座標領域を第１の座標領域として、前記第２の変調ビームのポリゴンミラーの他の偏向面に入射する位置の座標領域を第２の座標領域として夫々設定するとともに、前記第２の座標領域にポリゴンミラーの回転方向に沿ってその下流側で隣接する座標領域を第３の座標領域、該第３の座標領域と前記第１の座標領域の間の座標領域を第４の座標領域と夫々設定した場合に、前記交点が、前記第４の座標領域で交わるように構成すると好ましい。」
を
　「【０００７】
　また、前記各々の入射ビームは、それぞれの入射面に対して異なった入射角で入射するように構成すると好ましい。また、単一の光偏向器を挟んで両側に各々被走査面を配し、該被走査面と対峙する前記光偏向器の異なる偏向面にそれぞれ第１の変調ビーム及び第２の変調ビームを入射させながら、光走査を行う請求項１記載の光走査装置において、前記偏向面に入射させる変調ビームの仮想延長線が交わる交点が、前記光偏向器の被走査面と平行な中心線上で交わる事なく、その一側に位置するように構成するとともに、前記光偏向器をポリゴンミラーで構成し、前記ポリゴンミラーの回転軸線と直交する面内で、該ポリゴンミラーの被走査面と平行な中心線と、該中心線に直交し且つ前記回転軸線を通過する直線により４つの座標領域に区切り、前記第１の変調ビームがポリゴンミラーの一の偏向面に入射する位置の座標領域を第１の座標領域として、前記第２の変調ビームのポリゴンミラーの他の偏向面に入射する位置の座標領域を第２の座標領域として夫々設定するとともに、前記第２の座標領域にポリゴンミラーの回転方向に沿ってその下流側で隣接する座標領域を第３の座標領域、該第３の座標領域と前記第１の座標領域の間の座標領域を第４の座標領域と夫々設定した場合に、前記交点が、前記第４の座標領域で交わるように構成すると好ましい。」
と訂正する。
イ．訂正の目的の適否、新規事項の有無及び拡張・変更の存否
　上記訂正事項ａにおいて、「各々レンズ系を介して」を付加するのは、明細書の段落【００２７】及び図２の記載に基づいて「光走査を行う」ことについて限定するものであり、「前記入射ビームの仮想延長線に交わる交点が」を「前記偏向面に入射させる変調ビームの仮想延長線が交わる交点が」と訂正するのは、「入射ビーム」をそれより前出する「偏向面に変調ビームを入射させる」という記載に基づいて言い換えることによる明りょうでない記載の釈明であるとともに、「仮想延長線に」を「仮想延長線が」と誤記の訂正を行うものである。また、「前記光偏向器の被走査面と平行な中心線上で交わる事なく、その一側に位置するように構成する」を「前記光偏向器の各々のレンズ系の光軸を通り、用紙幅方向中心線に一致する中心線と直交し且つ前記両被走査面と平行な光偏光器の中心線上で交わる事なく、その一側に位置するように構成する」と訂正するのは、明細書の段落【００２４】〜【００２７】、【００６８】、図２、図６及び図７の記載に基づいて「前記光偏光器の被走査面と平行な中心線」について、「前記光偏向器の各々のレンズ系の光軸を通り、用紙幅方向中心線に一致する中心線と直交し且つ」との限定を付加し、さらに「被走査面と平行な」を「両被走査面と平行な」と限定するものであり、さらに、「入来」を「入射」とするのは、誤記の訂正である。
　上記訂正事項ｂにおいて、「前記入射ビームの仮想延長線に交わる交点が」を「前記偏向面に入射させる変調ビームの仮想延長線が交わる交点が」と訂正するのは、「入射ビーム」をそれより前出する「偏向面に変調ビームを入射させる」という記載に基づいて言い換えることによる明りょうでない記載の釈明であるとともに、「仮想延長線に」を「仮想延長線が」と誤記の訂正を行うものである。
　訂正事項ｃは、訂正事項ａによる請求項１の訂正との整合を図るために、明細書の段落【００２４】〜【００２７】、【００６８】、図２、図６及び図７の記載に基づいて、明細書の段落【０００６】を訂正するものであるから、明りょうでない記載の釈明を目的とするものに該当する。
　訂正事項ｄは、訂正事項ａ及びｂによる請求項１及び２の訂正との整合を図るために、明細書の段落【００２４】〜【００２７】、【００６８】、図２、図６及び図７の記載に基づいて、明細書の段落【０００７】を訂正するものであるから、明りょうでない記載の釈明を目的とするものに該当する。
　また、訂正事項ａ〜ｄは、いずれも特許請求の範囲を拡張し、又は変更するものでもない。
ウ．むすび
　以上のとおりであるから、上記訂正は、特許法第１２０条の４第２項の規定及び同条第３項において準用する特許法第１２６条第２項及び第３項の規定に適合するので、当該訂正を認める。
　　　
３．特許異議申立てについて
ア．本件発明
　平成１６年７月２０日付けで提出された訂正明細書の請求項１及び２に係る発明（以下、それぞれ「本件発明１」及び「本件発明２」という）は、その特許請求の範囲の請求項１及び２に各々記載された事項により特定されるとおりの次のものである。
　「【請求項１】　単一の光偏向器を挟んで両側に各々被走査面を配し、該被走査面と対峙する前記光偏向器の偏向面に変調ビームを入射させながら、各々レンズ系を介して光走査を行う光走査装置において、
　前記偏向面に入射させる変調ビームの仮想延長線が交わる交点が、前記光偏向器の各々のレンズ系の光軸を通り、用紙幅方向中心線に一致する中心線と直交し且つ前記両被走査面と平行な光偏光器の中心線上で交わる事なく、その一側に位置するように構成するとともに、前記各々の入射ビームは、それぞれの入射面に対して異なった入射角で入射するように構成したことを特徴とする光走査装置。
【請求項２】　単一の光偏向器を挟んで両側に各々被走査面を配し、該被走査面と対峙する前記光偏向器の異なる偏向面にそれぞれ第１の変調ビーム及び第２の変調ビームを入射させながら、光走査を行う請求項１記載の光走査装置において、
　前記偏向面に入射させる変調ビームの仮想延長線が交わる交点が、前記光偏向器の被走査面と平行な中心線上で交わる事なく、その一側に位置するように構成するとともに、前記光偏向器をポリゴンミラーで構成し、前記ポリゴンミラーの回転軸線と直交する面内で、該ポリゴンミラーの被走査面と平行な中心線と、該中心線に直交し且つ前記回転軸線を通過する直線により４つの座標領域に区切り、前記第１の変調ビームがポリゴンミラーの一の偏向面に入射する位置の座標領域を第１の座標領域として、前記第２の変調ビームのポリゴンミラーの他の偏向面に入射する位置の座標領域を第２の座標領域として夫々設定するとともに、前記第２の座標領域にポリゴンミラーの回転方向に沿ってその下流側で隣接する座標領域を第３の座標領域、該第３の座標領域と前記第１の座標領域の間の座標領域を第４の座標領域と夫々設定した場合に、前記交点が、前記第４の座標領域で交わるように構成したことを特徴とする光走査装置。」
イ．特許異議申立ての理由の概要
　特許異議申立人境恒徳は、甲第１号証を提出して、訂正前の請求項１及び２に記載された発明は、甲第１号証刊行物に記載された発明であるから、特許法第２９条第１項の規定により特許を受けることができず、また、甲第１号証刊行物に記載された発明に基づいて当業者が容易に発明をすることができたものであるから、特許法第２９条第２項の規定により特許を受けることができないものであって、その特許は取り消されるべきものである旨主張する。
　なお、特許異議申立書第８頁第１５〜１７行に、「本件特許発明の請求項３に係る発明は、特許法第３６条第６項第１号の規定に違反し、特許を受けることができない」旨の記載があるが、本件の請求項３に係る発明は存在せず、具体的根拠についての記載もないので、この主張は認められない。
ウ．取消理由の概要
　平成１６年５月７日付けで通知した取消理由の概要は、次のとおりである。
２９条について：
　本件発明１は、甲第１号証刊行物に記載された発明に基づいて当業者が容易に発明をすることができたものであるから、特許法第２９条第２項の規定に違反して特許されたものである、との理由。
３６条について：
　特許請求の範囲の請求項１及び２における「前記入射ビームの仮延長線に交わる交点」との記載は不明確であり、誤記を含むものである、との理由。
　請求項１における「入来するように」との記載は誤記である、との理由。
エ．刊行物の記載事項
　特許異議申立人境恒徳が甲第１号証として提出した刊行物である特開平３−１４２４１１号公報（以下、「刊行物１」という）には、次のように記載されている。
　「（１）回転多面鏡を介して正逆双方向に光ビームを走査する２系統の光学系を備えた双方向走査光学装置において、前記２系統の光学系それぞれの光学中心軸を前記回転多面鏡の反射面における各々の光学中心に一致させることを特徴とする双方向走査光学装置。」（特許請求の範囲請求項１）
　「第３図に示すように、矢印Ｂ方向に回転する回転多面鏡１０１を介して正逆双方向に配置された感光ドラム１０２Ｍ，１０２Ｙ上に、レーザ光源１０３Ｍ，１０３Ｙから光ビームＬＢＭ，ＬＢＹが照射される。すなわち、光ビームＬＢＭ，ＬＢＹは、回転多面鏡１０１の各反射面にて回転方向（矢印方向Ｂ）に走査され、ｆθレンズ１０４，１０５を通過して、感光ドラム１０２Ｍ，１０２Ｙの走査線１０６Ｍ，１０６Ｙ上に照射される。」（第１頁右下欄第４〜１３行）
　「また、前記の回転多面鏡１０１，レーザ光源１０３Ｍ，１０３Ｙ，ｆθレンズ１０４，１０５等は光学箱１０７に納められている。
（発明が解決しようとする課題）
　しかしながら、上述した従来技術の場合には、光学箱１０７を装置本体１０８に取り付けた時の取り付け精度によって、第３図に示すように、光学箱１０７が装置本体１０８、すなわち感光ドラム１０２Ｍ，１０２Ｙに対してθ１傾く可能性がある。」（第２頁左上欄第１〜１０行）
　「第１図は、第２図に示した多重画像形成装置の平面図であり、・・・・１は双方向のうち一方の光学系が配置されたレンズ台で、・・・・。４は双方向のうち他方の光学系が配置されたレンズ台で・・・・。これらのレンズ台１，２（４の誤記：註）は、回転多面鏡２３と共に光学箱６に保持されており、この光学箱６は装置本体７に位置決めされて取り付けられている。
　そして、双方向２系統の光学系、すなわちｆθレンズ３，５それぞれの光学中心軸１１，１２は、回転多面鏡２３の反射面における双方向各々の光学中心１３，１４に一致するように配置されている。また、レンズ台１，４は、光学中心１３，１４を中心α方向に回転可能であり、図示されていないロック機構により任意の位置で光学箱６に固定される。すなわた、光学中心軸１１，１２は、各々の光学中心１３，１４を中心として回転自在に構成されている。」（第２頁右下欄第１９行〜第３頁右上欄第４行）
　「・・・・本発明によれば、それぞれの光学中心１３，１４を中心に、レンズ台１，４を回転多面鏡２３の回転平面と平行な平面内で回動させて、感光ドラム２１Ｍ，２１Ｙに対して光学中心軸１１，１２が直角になるように調整することによって、感光ドラム２１Ｍ，２１Ｙ上での走査線２２Ｍ，２２Ｙの倍率、ピント等を正常に保つことが可能となる。」（第３頁右上欄第１５行〜左下欄第２行）
　「本発明は、・・・・２系統の光学系それぞれの光学中心軸を回転多面鏡の反射面における各々の光学中心に一致させることにより、光学中心軸を回転多面鏡の適正反射位置としての光学中心に設定することができ、装置本体への光学箱等の光学系取り付けに多少の誤差があっても、誤差に影響されない光学系を構成することができる。
　なお、２系統の光学系それぞれの光学中心軸が回転多面鏡の反射面における各々の光学中心を中心として回転自在に構成し、双方向のレンズ台を該光学中心を中心に回動調整を行なうことによって、反射された光学中心軸の方向を適正化でき、光学中心軸と感光ドラムを直交させて、感光ドラム上の走査線の倍率、ピント等を正常に保つことが可能となる。」（第３頁左下欄第１２行〜右上欄第７行）
　また、第１図に双方向走査光学装置の構成が示されており、第３〜４図には、取り付け精度によって光学箱ないしレンズ台が装置本体に対して傾いた状態の双方向走査光学装置が示されている。
オ．対比、判断
　本件発明１と、刊行物１に記載のものとを対比する。
　本件発明１においては、「偏向面に入射させる変調ビームの仮想延長線が交わる交点が、光偏向器の各々のレンズ系の光軸を通り、用紙幅方向中心線に一致する中心線と直交し且つ両被走査面と平行な光偏光器の中心線上で交わる事なく、その一側に位置するように構成」しているのに対して、刊行物１の第１図に示される双方向走査光学装置では、光ビームの仮想延長線が交わる交点は、走査線２２Ｍ，２２Ｙと平行な回転多面鏡２３の中心線上で交わるものであり、また、刊行物１の第３〜４図に示される双方向走査光学装置では、光学箱またはｆθレンズが装置本体に対して傾いているため、「各々のｆθレンズの光軸を通り転写材幅方向中心線に一致する中心線」と、「この中心線と直交し且つ両走査線と平行な回転多面鏡の中心線」とはそれぞれ一義的に定まらず、したがって、これらの中心線が交わる交点が上記本件発明１で特定される交点であるとは到底認めることができない。
　それゆえ、この点において、本件発明１と刊行物１に記載のもとは相違し、また、刊行物１に記載のものは、取り付け精度によって光学箱が傾いた場合にもレンズ台を調整可能にして走査線の倍率、ピント等を正常に保つようにするものであって、本件発明１において光偏向器の反射面で変調ビームを効率よく反射できるようにすることを示唆するところはない。
　したがって、本件発明１は、刊行物１に記載された発明ではなく、また、刊行物１に記載された発明に基づいて当業者が容易に発明をすることができたものでもない。
　次に、本件発明２は、請求項１を引用し、請求項１の構成要件を全て備えるものであるから、刊行物１に記載のものと対比すると、本件発明１と刊行物１との対比において前述した相違点を有する。
　したがって、本件発明２は、刊行物１に記載された発明ではなく、また、刊行物１に記載された発明に基づいて当業者が容易に発明をすることができたものでもない。
　また、取消理由で指摘した明細書の記載の不備は、上記訂正により解消している。
カ．むすび
　以上のとおりであるから、特許異議申立ての理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１６年８月４日（２００４．８．４）
【訂正の要旨】
審決（決定）の【理由】欄参照。
（５４）【発明の名称】
光走査装置
（５７）【特許請求の範囲】
　【請求項１】　単一の光偏向器を挟んで両側に各々被走査面を配し、該被走査面と対峙する前記光偏向器の偏向面に変調ビームを入射させながら、
各々レンズ系を介して
　
前記偏向面に入射させる変調
が
前記光偏向器の各々のレンズ系の光軸を通り、用紙幅方向中心線に一致する中心線と直交し且つ前記両
光偏向器の
入射
　【請求項２】　単一の光偏向器を挟んで両側に各々被走査面を配し、該被走査面と対峙する前記光偏向器の異なる偏向面にそれぞれ第１の変調ビーム及び第２の変調ビームを入射させながら、光走査を行う請求項１記載の光走査装置において、
　
前記偏向面に入射させる変調
が
【発明の詳細な説明】
　【０００１】
　【発明の属する技術分野】
　本発明は、光走査装置、特に、単一の光偏向器を挟んで両側に各々被走査面を配し、該被走査面と対峙する前記光偏向器の偏向面に変調ビームを入射させながら光走査を行う光走査装置に関する。
　【０００２】
　【従来の技術】
　従来から、単一の光偏向器を挟んで両側に各々被走査面を配し、該被走査面と対峙する前記光偏向器の偏向面に変調ビームを入射させながら、光走査を行う光走査装置は良く知られている。このような光走査装置を用いて画像形成装置を構成し、カラー画像を形成するためには、イエロー、マゼンタ、シアンの３色、叉はこれらにブラックを加えた４色を感光体上に露光して現像する必要があるために、画像形成に時間がかかり、画像形成時間の短縮が望まれている。
　【０００３】
　【発明が解決しようとする課題】
　しかしながら、画像形成の速度を上げるためには、感光体上を光走査する光偏向器の走査速度を上昇させる必要があり、機械的に光偏向器の回転速度を上げることが試みられているが、騒音、振動、消費電力が増加するとともにコストが上昇するという問題がある。また、速度を上げずにポリゴンミラーの面数を増加させて実質的にスキャニングの速度を上げることも考えられるが、この場合は反射面が狭くなり、必要な太さの光束が反射面のエッジにかかり、すべてが反射できないという問題がある。
　【０００４】
　かかる問題を解決するために、ポリゴンミラーを大きくすることで反射面を大きく取ることが考えられるが、光学系が大型化し、回転させるモータ自身もおおきなモータを必要とし、コストが上昇するという問題がある。したがって、光偏向器の回転速度を上昇させずに、画像形成速度を上げる光走査装置が要請されている。
　【０００５】
　上述の事情に鑑みた本発明の目的は、光偏向器の回転速度を上昇させずに、画像形成速度を上げる光走査装置を提供することである。また、本発明の他の目的は、装置が小型化するとともに、製造コストを下げる光走査装置を提供することである。
　【０００６】
　【課題を解決するための手段】
　本発明の光走査装置の特徴とするところは、単一の光偏向器を挟んで両側に各々被走査面を配し、該被走査面と対峙する前記光偏向器の偏向面に変調ビームを入射させながら、
各々レンズ系を介して
　
前記偏向面に入射させる変調
が
前記光偏向器の各々のレンズ系の光軸を通り、用紙幅方向中心線に一致する中心線と直交し且つ前記両
光偏向器の
構成するとともに、前記各々の入射ビームは、それぞれの入射面に対して異なった入射角で入射するように
　【０００７】
　また、前記各々の入射ビームは、それぞれの入射面に対して異なった入射角で
入射
前記偏向面に入射させる変調
が
　【０００８】
　図２に示すように、左サイドと右サイドの記録媒体である用紙の幅方向の中心間を結ぶ中心線ＫとレーザビームＳＬとがなす角度を入射角θＬと定義し、中心線ＫとレーザビームＳＲとがなす角度を入射角θＲと定義し、θＬ＞θＲに設定すると、中心線ｙより左側のＴ点において、レーザ光束ビームとＳＲの仮想延長線ＳＬ′とＳＲ′が交わる。
　【０００９】
　図４に示すように、θＬ（６２°）＞θＲ（４９°）に設定するとポリゴンミラー２へのレーザビームは図３に示される入射光路、反射光路をとる。そして、図３（ａ）に示す左サイドの記録媒体の一方の端部から他方の端部に走査を始める、走査ラインの走査開始を検知するＢＤ（ビームディテクター）センサにレーザ入射ビームＳＬが反射光ＳＬ１として反射する時の点線で示したと反射面２ｆ１と２ａ１との交点Ｍ１と入射光ＳＬの軸心との間隔ε２Ｌと、レーザ入射ビームＳＬが記録媒体の他方の端部に向かう反射光ＳＬ３として反射する時の２点鎖線で示した反射面２ｆ３と２ｅ３との交点Ｍ６と入射光ＳＬの軸心との間隔ε１Ｌとを等しく設定することができる。
　【００１０】
　また、図３（ｂ）に示す右サイドの記録媒体の一方の端部から他方の端部に走査を始める、走査ラインの走査開始を検知するセンサにレーザ入射ビームＳＲが反射光ＳＲ１として反射する点線で示した反射面２ｂ１と２ｃ１との交点Ｍ３と入射光ＳＲの軸心との間隔ε２Ｒと、レーザ入射ビームＳＲが記録媒体の他方の端部に向かう反射光ＳＲ３として反射する２点鎖線で示した反射面２ａ３と２ｃ３との交点Ｍ２と入射光ＳＲの軸心との間隔ε１Ｒを等しく設定することができる。
　【００１１】
　よって、左サイドの記録媒体に対応する間隔ε２Ｌと間隔ε１Ｌとを等しく設定し、前記間隔ε内にレーザビームの半分が収まるように設計すればポリゴンミラーの反射面を効率よく使用することができる。また、右サイドの記録媒体に対応する間隔ε２Ｒと間隔ε１Ｒとを等しく設定し、前記間隔ε内にレーザビームの半分が収まるように設計すればポリゴンミラーの反射面を効率よく使用することができる。
　【００１２】
　したがって、上述の条件にレーザビームの入射角を設定することにより、記録媒体の端部においてレーザビームが欠けることがなく、ポリゴンミラーの反射面面積を効率良く設定できるとともに、外径を大型化することなく、反射面の面数を増加させることができ、画像形成時間を短縮することができる。
　【００１３】
　【発明の実施の形態】
　以下、図面を参照して本発明の好適な実施例を例示的に詳しく説明する。但しこの実施例に記載されている構成部品の寸法、材質、形状、その相対的配置等は特に特定的な記載がないかぎりは、この発明の範囲をそれに限定する趣旨ではなく、単なる説明例にすぎない。
　【００１４】
　図１は、本発明が適用される画像形成装置の外観図、図２は、本発明に係る光走査装置の一実施例を示す図、図３は、本発明の作用を説明する図、図４は、光束の入射角に対する入射位置εとの関係を示すグラフ、図５は、入射位置εを導き出す説明図、図６は、問題点を説明する図（１）、図７は、問題点を説明する図（２）である。
　【００１５】
　本発明に適用される画像形成装置は、図１に示すように、レーザ光５Ａ，５Ｂからの光線をポリゴンミラー２、レンズ系３Ａ，３Ｂ、等で構成される光走査系１によりミラー４、６、７及び、８を介して、感光ドラム９Ａ及び９Ｂに静電潜像が形成される。これらの感光ドラム９Ａ，９Ｂには、該感光ドラムを帯電するチャージャ２３Ａ，２３Ｂおよび、感光ドラム上の残留トナーを除去するクリーニング機構２４Ａ，２４Ｂが設けられている。
　【００１６】
　感光ドラム９Ａ，９Ｂの表面は、中間転写シート２６に接触し、該中間転写シート２６は体積抵抗率が１０１０〜１０１４Ωｃｍの中抵抗領域にある抵抗体であり、厚さ１５０μｍ程度のポリカーボネイト、ポリイミド、ポリエーテルエーテルケトン等で成形されている。
　【００１７】
　そして、感光ドラム９Ａには、前段側の現像器であるブラック色トナーの現像器１０Ａ、及びマゼンタ色トナーの現像器１０Ｂが付設され、感光ドラム９Ｂには、後段側の現像器であるイエロー色トナーの現像器１０Ｃ、シアン色トナーの現像器１０Ｄが付設されている。これらの現像器は、軸２２Ａ，２２Ｂ，２２Ｃ，２２Ｄにより回動可能であって、且つ時計方向に図示しない手段により付勢されるとともに、図示しないカム軸駆動機構によって正逆回転可能なカム軸２５Ａ，２５Ｂ，２５Ｃ，２５Ｄにより、それぞれ位置規制されている。
　【００１８】
　現像器１０Ａを位置規制するカム軸２５Ａは、円柱を断面半月状に削設してカム面を設け、該カム軸２５Ａの円周面と現像器１０Ａの当接面とが接触しているときは、現像ローラと感光ドラム９Ａとは最大距離離間し、カム軸２５Ａの削設面と現像器１０Ａの当接面とが向かい合っているときは、現像ローラと感光ドラム９Ａとは現像可能な状態まで接近するように構成されている。
　【００１９】
　また、現像器１０Ｂを位置規制するカム軸２５Ｂも２５Ａと同じように、円柱を断面半月状に削設して円周面と削設面とを設け、カム軸２５Ｂの円周面と現像器１０Ｂの当接面とが接触しているときは、現像ローラと感光ドラム９Ａとは最大距離離間し、カム軸２５Ｂの削設面と現像器１０Ｂの当接面とが向かい合っているときは、現像ローラと感光ドラム９Ａとは現像可能な状態まで接近するように構成されている。
　【００２０】
　尚、後段現像器用のカム軸２５Ｃ，２５Ｄには、それぞれ前述した前段の現像器の当接面と同じように後段の現像器の当接面が接触し、前記カム軸２５Ｃ，２５Ｄによって、前段の現像器と同じ作用をなす。
　【００２１】
　したがって、感光ドラム９Ａ，９Ｂは、該ドラムが１回転ごとに前記現像器から順次一色ずつ現像され、中間転写シート２６にクーロン力により転写される。一色の転写が終わると、感光ドラムはクリーニング機構２４Ａ，２４Ｂ等でトナーを取り除いた後に、他の色が感光ドラムに現像される。具体的には、感光ドラム９Ａから中間転写シート２６にブラック色が転写され、その後感光ドラム９Ｂの位置に回転した中間転写シート２６は、感光ドラム９Ｂからシアン色を転写される。
　【００２２】
　感光ドラム９Ａは中間転写シート２６にブラック色を転写後は残留トナーを除去手段で取り除き、マゼンタ色を現像し、該マゼンタ色を中間転写シート２６に転写する。同じように、感光ドラム９Ｂにおいてもイエロー色を転写後は、残留トナーを除去手段で取り除き、シアンを現像して、転写が行われる。
　【００２３】
　４色のトナーが中間転写シート２６に転写されると、用紙カセット１４に収納されている用紙がローラ１５等によって通路１６、１７を通って、中間転写シート２６と第２転写ローラ１９間に搬送され、該用紙に各画像を形成するトナーが転写され、転写された用紙は搬送装置２０に排出され、搬送ベルト２１により、図示しない定着部に搬送される。
　【００２４】
　上述のごとき画像形成装置において、従来は図６に示されるようなポリゴンミラー２が配設され、感光ドラム９Ａ（図１）の表面にレーザ反射ビームＳＬ２を照射させるレーザ入射ビームＳＬが入射する角度θＬと、感光ドラム９Ｂ（図１）の表面にレーザ反射ビームＳＲ２を照射するレーザ入射ビームＳＲが入射する角度θＲとは等しい角度で入射するように構成されている。
　【００２５】
　この状態では、感光ドラム９Ａの幅方向の走査開始を検出するセンサへレーザ光を反射するときの反射面２ｆ１の端部Ｍ１と入射光ＳＬの軸心との間隔ε２Ｌは、感光ドラム９Ｂの幅方向の走査開始を検出するセンサへレーザービームを反射するときの反射面２ｂ１の端部Ｍ３と入射光ＳＲの軸心との間隔ε２Ｒより狭くて余裕がなく、レーザービームを十分に反射することができない。
　【００２６】
　これを改善するために、図７に示すように、レーザビームの入射角をそのままで、ポリゴンミラーを図の上方に移動させると、間隔ε２Ｌ′は改善されるが、間隔ε２Ｒ′が狭くなり完全なる改善はできない。よって、発明者が研究の結果、左右のレーザービームの入射角を変化させる構成を見いだしたものである。
　【００２７】
　次に、上述のように構成される画像形成装置に用いられる光走査装置の構成を説明する。図２において、ポリゴンミラー２は反射面２ａ〜２ｆと６面の反射面を有し、図上反時計方向に回転可能に配置される。ポリゴンミラー２の左サイドは、入射レーザビームＳＬを反射してレンズ系３Ａを介して光走査する感光ドラム９Ａの表面である被走査面２８Ａが設けられ、右サイドは、入射レーザビームＳＲを反射してレンズ系３Ｂを介して光走査する感光ドラム９Ｂの表面である被走査面２８Ｂが設けられている。これら、光走査面２８Ａ，２８Ｂには、レーザービームの走査開始を検出するビームディテクトセンサセンサ（ＢＤセンサ）２７Ａ，２７Ｂが配置されている。
　【００２８】
　そして、左サイドのレーザー入射ビームＳＬの入射角θＬは、右サイドのレーザー入射ビームＳＲの入射角θＲより大きく設定しているので、レーザー入射ビームＳＬの仮想延長線ＳＬ′と、右サイドのレーザー入射ビームＳＲの仮想延長線ＳＲ′とは、ポリゴンミラー２の中心線ｙより左側のＴ点において交差している。
　【００２９】
　このように構成した実施例の作用を図３を用いて説明する。同図において、ポリゴンミラーの面数をｎ、ポリゴンミラーの外接円半径をＲｏ、ポリゴンミラー中心と記録媒体との中心間の距離をＹ（負数）、反時計方向のポリゴンミラー回転角をα、時計方向のポリゴンミラー回転角をβ（負数）、レーザービームの入射角をθと定義し、前記レーザービームＳＬ，ＳＲの仮想延長線がポリゴンミラー２の中心線ｙと交差する交差点とポリゴンミラーの回転中心間の距離をδとすると、図３（ｂ）上の間隔ε１（Ａ）、ε２（Ｂ）、及びδ（Ｃ）は以下の式で表される。
　【００３０】
　【数１】
　　ε１＝Ｒｏｓｉｎ（−θ／２＋π／ｎ−α）＋δｃｏｓθ・・・（Ａ）
　　ε２＝Ｒｏｓｉｎ（θ／２＋π／ｎ＋β）−δｃｏｓθ・・・・（Ｂ）
　　δ＝（−Ｙｓｉｎ（θ／２）＋Ｒｏｃｏｓ（π／ｎ））×ｔａｎθ／ｃｏｓ（θ／２）＋Ｙ・・・（Ｃ）
　【００３１】
　この式（Ａ）、（Ｂ）、（Ｃ）は図５により導き出される。同図において、レーザー入射ビームＳＲが反射ビームＳＲ２として記録媒体中心へ向かうときの偏向面２ｂ２と隣接する偏向面２ｃ２との交点Ａｏ、前記偏向面２ｂ２と隣接する偏向面２ａ２との交点Ｂｏ、レーザー入射ビームＳＲが反射ビームＳＲ１としてセンサへ向かうときの偏向面２ｂ１と隣接する偏向面２ｃ１との交点Ａβ、レーザー入射ビームＳＲが反射ビームＳＲ３として記録媒体端部へ向かうときの偏向面２ｂ３と隣接する偏向面２ａ３との交点Ｂαとし、前記各点Ａｏ、Ｂｏ、Ａβ、Ｂαとポリゴンミラー２のｘ軸とのなす角度を、それぞれθＡｏ、θＢｏ、θＡβ、θＢαとすると、
　　θＡｏ＝−θ／２＋π／ｎ・・・・・（１）
　　θＢｏ＝−θ／２−π／ｎ・・・・・（２）
　　θＡβ＝−θ／２＋π／ｎ＋β・・・（３）
　　θＢα＝−θ／２−π／ｎ＋α・・・（４）
で表される。
　【００３２】
　また、前記各点Ａｏ、Ｂｏ、Ａβ、Ｂαの座標は
　　Ａｏ：（ＲｏＣｏｓθＡｏ、ＲｏＳｉｎθＡｏ）・・・（５）
　　Ｂｏ：（ＲｏＣｏｓθＢｏ、ＲｏＳｉｎθＢｏ）・・・（６）
　　Ａβ：（ＲｏＣｏｓθＡβ、ＲｏＳｉｎθＡβ）・・・（７）
　　Ｂα：（ＲｏＣｏｓθＢα、ＲｏＳｉｎθＢα）・・・（８）
で表される。
　【００３３】
　また、点（ｘ１，ｙ１）を通る直線の方程式は以下の（９）の式となる。
　【００３４】
　【数２】
　　（ｙ−ｙ１）＝（ｙ１−ｙ２）・（ｘ−ｘ１）／（ｘ１−ｘ２）・・・（９）
　【００３５】
　この式（９）に前記座標を代入すると以下の（１０）式となる。
　【００３６】
　【数３】
　　ｙ−ＲｏｓｉｎθＡｏ＝（ＲｏｓｉｎθＡｏ−ＲｏｓｉｎθＢｏ）×（ｘ−ＲｏｃｏｓθＡｏ）×１／（ＲｏｃｏｓθＡｏ−ＲｏｃｏｓθＢｏ）・・・（１０）
　【００３７】
　この直線と記録媒体の中心軸との交点Ｃのｘ座標Ｘｃは、上記（１０）式に、ｙ＝Ｙとして、整理すると以下の（１１）式となる。
　【００３８】
　【数４】
　　Ｘｃ−Ｙ（ｃｏｓθＡｏ−ｃｏｓθＢｏ）×１／（ｓｉｎθＡｏ−ｓｉｎθＢｏ）＋Ｒｏ（ｓｉｎθＡｏ×ｃｏｓθＢｏ−ｓｉｎθＢｏ×ｃｏｓθＡｏ）×１／（ｓｉｎθＡｏ−ｓｉｎθＢｏ）・・・（１１）
　【００３９】
　この（１１）式を以下の（１２）式
　【００４０】
　【数５】
　　ｓｉｎ（α−β）＝ｓｉｎα・ｃｏｓβ−ｃｏｓα・ｓｉｎβ・・・（１２）
　【００４１】
　を用いて整理すると、以下の（１３）の式になる。
　【００４２】
　【数６】
　　Ｘｃ＝｛Ｙ（ｃｏｓθＡｏ−ｃｏｓθＢｏ）＋Ｒｏｓｉｎ（θＡｏ−θＢｏ）｝×１／（ｓｉｎθＡｏ−ｓｉｎθＢｏ）・・・（１３）
　【００４３】
　この式（１３）に前記式（２）を代入して整理すると、以下の式（１４）になる。
　【００４４】
　【数７】
　　Ｘｃ＝［Ｙ｛ｃｏｓ（θ／２＋π／ｎ）−ｃｏｓ（−θ／２−π／ｎ）｝＋Ｒｏｓｉｎ（２π／ｎ）］×１／｛ｓｉｎ（−θ／２＋π／ｎ）−ｓｉｎ（−θ／２−π／ｎ）｝・・・（１４）
　【００４５】
　よって、δは、以下の式（１５）となる。
　【００４６】
　【数８】
　　δ＝Ｘｃｔａｎθ＋Ｙ＝［Ｙ｛ｃｏｓ（−θ／２＋π／ｎ）−ｃｏｓ（−θ／２−π／ｎ）｝＋Ｒｏｓｉｎ（２π／ｎ）］×ｔａｎθ×１／｛ｓｉｎ（−θ／２＋π／ｎ）−ｓｉｎ（−θ／２−π／ｎ）｝＋Ｙ・・・（１５）
　【００４７】
　この（１５）式をさらに整理すると、以下の式（１６）となる。
　【００４８】
　【数９】
　　δ＝｛−Ｙｓｉｎ（θ／２）＋Ｒｏｃｏｓ（π／ｎ）｝×ｔａｎθ／ｃｏｓ（θ／２）＋Ｙ・・・（１６）
　【００４９】
　一方、入射ビームの直線の方程式はｔａｎθ・Ｘ＋ｙ−δ＝０・・・・・・・（１７）で表される。一方、ａｘ＋ｂｙ＋ｃ＝０で表される直線と、点（ｘ０，ｙ０）との距離ｄは、以下の式（１８）
　【００５０】
　【数１０】
　【００５１】
　で表される。前記式（１７）で表される直線と交点Ａβ、Ｂαとの距離がそれぞれε１、ε２であるから、前記式（１８）を使って、ε１は以下の式（１９）となる。
　【００５２】
　【数１１】
　【００５３】
　実際的な数値を代入すると、ｔａｎθ・ＲｏｃｏｓθＢα＋ＲｏｓｉｎθＢα−δの値は負となったので、ε１を以下の式（２０）とした。
　【００５４】
　【数１２】
　【００５５】
　この式（２０）を前記式（４）を用いて整理すると以下の式（２１）となる。
　【００５６】
　【数１３】
　【００５７】
　この式（２１）をさらに整理すると、以下の式（２２）となる。
　【００５８】
　【数１４】
　　ε１＝Ｒｏｓｉｎ（−θ／２＋π／ｎ−α）＋δｃｏｓθ・・・（２２）
　【００５９】
　同様に、ε２は以下の式（２３）となり、
　【００６０】
　【数１５】
　【００６１】
　実際的な値を代入すると、ｔａｎθ・ＲｏｃｏｓθＡβ＋ＲｏｓｉｎθＡβ−δの値は正の値となったので、ε２は以下の式（２４）とした。
　【００６２】
　【数１６】
　【００６３】
　この式（２４）を前記式（３）を代入して整理すると、ε２は以下の式（２５）となる。
　【００６４】
　【数１７】
　【００６５】
　この式（２５）をさらに整理すると、ε２は以下の式（２６）となる。
　【００６６】
　【数１８】
　　ε２＝Ｒｏｓｉｎ（θ／２＋π／ｎ＋β）−δｃｏｓθ・・・（２６）
　【００６７】
　図３（ａ）上においても同様にして式を求め、これらの式から、左右の反射面における間隔ε１Ｌ、ε２Ｌ、ε１Ｒ、ε２Ｒを、入射角θを変化させてプロットしたのが図４である。図３に示すように、間隔ε１Ｌとε２Ｌが等しく、そして、ε１Ｒとε２Ｒが等しいことが、記録媒体の幅方向の一方の端部と、他方の端部近傍に配置されているセンサに対応して反射面を有効に利用する条件である。
　【００６８】
　図２に示すように、左サイドと右サイドの記録媒体である用紙の幅方向の中心間を結ぶ中心線ＫとレーザビームＳＬとがなす角度を入射角θＬと定義し、中心線ＫとレーザビームＳＲとがなす角度を入射角θＲと定義し、θＬ＞θＲに設定すると、中心線ｙより左側のＴ点において、レーザビームＳＬとＳＲの仮想延長線ＳＬ′とＳＲ′が交わる。
　【００６９】
　図４に示すように、θＬ（６２°）＞θＲ（４９°）に設定するとポリゴンミラー２へのレーザビームの入射光路、反射光路は図３に示される。そして、図３（ａ）に示す左サイドの記録媒体の一方の端部から他方の端部に走査を始める、走査ラインの走査開始を検知するセンサにレーザ入射ビームＳＬが反射光ＳＬ１として反射する時の点線で示した反射面２ｆ１と２ａ１との交点Ｍ１と入射光ＳＬの軸心との間隔ε２Ｌと、レーザ入射ビームＳＬが記録媒体の他方の端部に向かう反射光ＳＬ３として反射する時の２点鎖線で示した反射面２ｆ３と２ｅ３との交点Ｍ６と入射光ＳＬの軸心との間隔ε１Ｌとを等しく設定することができる。
　【００７０】
　また、図３（ｂ）に示す右サイドの記録媒体の一方の端部から他方の端部に走査を始める、走査ラインの走査開始を検知するセンサにレーザ入射ビームＳＲが反射光ＳＲ１として反射する点線で示した反射面２ｂ１と２ｃ１との交点Ｍ３と入射光ＳＲの軸心との間隔ε２Ｒと、レーザ入射ビームＳＲが記録媒体の他方の端部に向かう反射光ＳＲ３として反射する２点鎖線で示した反射面２ａ３と２ｃ３との交点Ｍ２と入射光ＳＲの軸心との間隔ε１Ｒを等しく設定することができる。
　【００７１】
　よって、図４に示す左サイドの記録媒体に対応する間隔ε２Ｌと間隔ε１Ｌとの交点Ｗの間隔εの値内にレーザビームの半分（半径分）が収まるように設計すればポリゴンミラーの反射面を効率よく使用することができる。また、右サイドの記録媒体に対応する間隔ε２Ｒと間隔ε１Ｒとの交点Ｖの間隔εの値内にレーザビームの半分（半径分）が収まるように設計すればポリゴンミラーの反射面を効率よく使用することができる。
　【００７２】
　したがって、上述の条件にレーザビームの入射角を設定するとともに、間隔ε内にレーザービームの半分が収まるようになすことにより、記録媒体の端部においてレーザビームが欠けることがなく、ポリゴンミラーの反射面面積を効率良く設定できるとともに、外径を大型化することなく、反射面面数を増加させることができ、画像形成時間を短縮することができる。
　【００７３】
　【発明の効果】
　以上詳述したように本発明は、光偏向器の回転速度を上昇させずに、画像形成速度を上げることができ、装置が小型化するとともに、製造コストを下げる光走査装置を提供することができる。
【図面の簡単な説明】
　【図１】　本発明が適用される画像形成装置の外観図である。
　【図２】　本発明に係る光走査装置の一実施例を示す図である。
　【図３】　本発明の作用を説明する図である。
　【図４】　光束の入射角に対する入射面の先端から入射位置εとの関係を示すグラフである。
　【図５】　入射位置εを導き出す説明図である。
　【図６】　問題点を説明する図（１）である。
　【図７】　問題点を説明する図（２）である。
　【符号の説明】
　１　　　　光走査系
　２　　　　光偏向器（ポリゴンミラー）
　３　　　　レンズ系（３Ａ，３Ｂ）
　５　　　　レーザー光源（５Ａ，５Ｂ）
　９　　　　感光ドラム（９Ａ，９Ｂ）
　１０Ａ　　現像器１
　１０Ｃ　　現像器２
　１０Ｂ　　現像器３
　１０Ｄ　　現像器４
　１１　　　中間転写ドラム
　１３　　　クリーナー部
　１９　　　第２転写ローラ
　２０　　　搬送装置
　２３　　　チャージャー（２３Ａ，２３Ｂ）
　２４　　　クリーナー（２４Ａ，２４Ｂ）
　２６　　　中間転写シート
　２７　　　ＢＤセンサ（２７Ａ，２７Ｂ）
　２８　　　被走査面（２８Ａ，２８Ｂ）